(57)【要約】【課題】任意の装飾部品を日射遮蔽装置に容易に取付け得る装飾品取付具を提供する。【解決手段】ヘッドボックス１に掛止め可能とした掛止め部５と、装飾品を支持可能とした支持部６とを備えた。【選択図】　　　　図３
2004019402.tif 000002
【特許請求の範囲】
【請求項１】
ヘッドボックスに掛止め可能とした掛止め部と、装飾品を支持可能とした支持部とを備えたことを特徴とする日射遮蔽装置の装飾部品取付具。
【請求項２】
前記掛止め部と支持部は、連結手段を介して着脱可能に連結したことを特徴とする請求項１記載の日射遮蔽装置の装飾部品取付具。
【請求項３】
前記掛止め部を金属板を折り曲げて形成し、前記ヘッドボックスに弾性的に係合可能としたことを特徴とする請求項１乃至２のいずれかに記載の日射遮蔽装置の装飾部品取付具。
【請求項４】
前記掛止め部は、前記ヘッドボックスの一側面の凹条に係合する折り返し部と、前記ヘッドボックスの他側面に弾性的に係合する係止片とを備えたことを特徴とする請求項３記載の日射遮蔽装置の装飾部品取付具。
【請求項５】
前記支持部には、筒状に形成した掴み部を設けたことを特徴とする請求項１乃至４のいずれかに記載の日射遮蔽装置の装飾部品取付具。
【請求項６】
前記掛止め部は、前記ヘッドボックスの前側辺に取着可能とし、前記掛止め部には前記支持部の上端を嵌挿可能とする保持部を備えたことを特徴とする請求項１記載の日射遮蔽装置の装飾部品取付具。
【発明の詳細な説明】
【０００１】
【発明の属する技術分野】
この発明は、横型ブラインド、プリーツカーテン、縦型ブラインド、ロールブラインド、たくし上げカーテン等の日射遮蔽装置に装飾部品を取付けるための取付具に関するものである。
【０００２】
【従来の技術】
従来、装飾品を取着した横型ブラインドとして、実開昭５６−１２４１９５号が開示されている。この横型ブラインドでは、ヘッドボックスの取付ブラケットに吊下げ具が取着され、その吊下げ具に装飾品が取着されている。
【０００３】
【発明が解決しようとする課題】
上記のような横型ブラインドでは、取付ブラケットに取着される吊下げ具は、特定の装飾品を吊下支持するためのものである。従って、任意の装飾品を取付けることができないという問題点がある。
【０００４】
この発明の目的は、任意の装飾部品を日射遮蔽装置に容易に取付け得る装飾品取付具を提供することにある。
【０００５】
【課題を解決するための手段】
請求項１では、ヘッドボックスに掛止め可能とした掛止め部と、装飾品を支持可能とした支持部とを備えた。
【０００６】
請求項２では、前記掛止め部と支持部は、連結手段を介して着脱可能に連結した。
請求項３では、前記掛止め部を金属板を折り曲げて形成し、前記ヘッドボックスに弾性的に係合可能とした。
【０００７】
請求項４では、前記掛止め部は、前記ヘッドボックスの一側面の凹条に係合する折り返し部と、前記ヘッドボックスの他側面に弾性的に係合する係止片とを備えた。
【０００８】
請求項５では、前記支持部には、筒状に形成した掴み部を設けた。
請求項６では、前記掛止め部は、前記ヘッドボックスの前側辺に取着可能とし、前記掛止め部には前記支持部の上端を嵌挿可能とする保持部を備えた。
【０００９】
【発明の実施の形態】
（第一の実施の形態）
図１に示す横型ブラインドは、ヘッドボックス１から多数段のスラット２が昇降可能にかつ角度調節可能に吊下支持されている。前記横型ブラインドの前方すなわち室内側には、取付具３を介して花器４が装飾品として支持されている。
【００１０】
前記取付具３の構成を図２に従って説明する。前記取付具３は、掛止め部５と支持部６とから構成される。前記掛止め部５は、金属板を直角に折り曲げて水平辺部７と垂直辺部８が形成される。
【００１１】
前記水平辺部７の先端には、前記ヘッドボックス１の後側辺上部に形成された凹条９ａに係合する折り返し部１０が形成されている。また、水平辺部７の中間部には、下方に延びる係止片１１が形成され、その係止片１１の上部には前記ヘッドボックス１の前側辺上部に形成された凹条９ｂに係合する切り欠き１２が形成されている。
【００１２】
そして、折り返し部１０を凹条９ａに係合させた状態で、係止片１１をヘッドボックス１の前側辺に当接させ、切り欠き１２を凹条９ｂに係合させると、水平辺部７がヘッドボックス１に支持されるようになっている。
【００１３】
前記支持部６は、同じく板状の金属材を折り曲げて形成され、その下端部にはほぼ円筒状の掴み部１３が形成されている。そして、前記支持部６の上端部がネジ１４（連結手段）で前記掛止め部５の垂直辺部８に固定されている。
【００１４】
このように構成された取付具３を使用して、図３に示すように、掴み部１３に例えば花器４を取着すれば、図１に示すように、横型ブラインドの前方に花器４が支持される。
【００１５】
上記のように構成された装飾品取付具では、次に示す作用効果を得ることができる。
（１）横型ブラインドの前方、すなわち室内側に花器４等の装飾品を容易に支持することができる。
（２）掛止め部５を複数種類用意して適宜交換することにより、サイズの異なるヘッドボックスにも装飾品を容易に取着することができる。
（３）取付具３は、掛止め部５と支持部６とを連結固定した状態で、掛止め部５の折り返し部１０及び係止片１１によりヘッドボックス１に容易に取着することができる。
（第二の実施の形態）
図４及び図５は、第二の実施の形態を示す。この実施の形態の掛止め部１５は、ヘッドボックス１の前側辺に取着可能としたものである。
【００１６】
すなわち、掛止め部１５の上端部は、鉤型に屈曲されて、図５に示すようにヘッドボックス１の前側辺上端部に掛止め可能である。また、掛止め部１５にはヘッドボックス１の凹条９ｂに係合する凸部１６が設けられている。
【００１７】
従って、掛止め部１５の上端部をヘッドボックス１の上端部に引っ掛けて、凸部１６を凹条９ｂに係合させると、掛止め部１５がヘッドボックス１の前側辺に沿って支持される。
【００１８】
前記掛止め部１５の前面には、六角棒状の支持部１７の上端部を保持する保持部１８が形成されている。前記支持部１７の上端部はテーパ状に縮径されるとともに、最上端部にはぎぼし状の係合部１９が形成されている。
【００１９】
前記保持部１８には、前方に向かって開口する筒部２０が形成され、その筒部２０の下部には下方に向かって開口する開口部２１が形成されている。そして、筒部２０に前方から係合部１９を嵌挿した状態で支持部１７を下方へ回動させれば、係合部１９が保持部１８内に保持されて、支持部１７が保持部１８に吊下支持される。
【００２０】
前記支持部１７の下端部には、前記実施の形態に示す花器４あるいはその他の任意の装飾品を支持可能である。
上記のように構成された装飾品取付具では、次に示す作用効果を得ることができる。
（１）横型ブラインドの前方、すなわち室内側に花器４等の装飾品を容易に支持することができる。
（２）ヘッドボックス１の上端部及び凹条９ｂの形状が同一であれば、任意のサイズのヘッドボックスにこの掛止め部１５を容易に取付可能である。従って、サイズの異なるヘッドボックスにも装飾品を容易に取着することができる。
（３）支持部１７は、その係合部１９を掛止め部１５の筒部２０に前方から嵌挿し、係合部１９を支点として下方へ回動させることにより、掛止め部１５に容易に吊下支持することができる。
【００２１】
上記実施の形態は、次に示すように変更することもできる。
・装飾品は、ヘッドボックス１から室外側に吊下支持するようにしてもよい。
・花器以外の任意の装飾品を支持してもよい。
・前記取付具３を、横型ブラインドの他、プリーツカーテン、縦型ブラインド、ロールブラインド、たくし上げカーテン等に使用することもできる。
【００２２】
【発明の効果】
以上詳述したように、この発明は任意の装飾部品を日射遮蔽装置に容易に取付け得る装飾品取付具を提供することができる。
【図面の簡単な説明】
【図１】第一の実施の形態の横型ブラインドを示す正面図である。
【図２】第一の実施の形態の取付具を示す斜視図である。
【図３】第一の実施の形態の取付具を示す側面図である。
【図４】第二の実施の形態の取付具を示す斜視図である。
【図５】第二の実施の形態の取付具を示す側面図である。
【符号の説明】
１　　　　　ヘッドボックス
４　　　　　装飾品（花器）
５，１５　　　　　掛止め部
６，１７　　　　　支持部
【図１】
2004019402.tif 000003
【図２】
2004019402.tif 000004
【図３】
2004019402.tif 000005
【図４】
2004019402.tif 000006
【図５】
2004019402.tif 000007